(57)【要約】【課題】本体部１８に設けた開封用ノッチ２４から縦接合部１４を含む本体部１８を破断して商品を包装袋から簡単に取り出すことができる封筒貼り包装袋を提供すること。【解決手段】開封用ノッチ２４を通り封筒貼り包装袋１０Ａの幅Ｗ２方向に延在する仮想線Ｓ上の内側幅方向フィルム端部１２０２Ａの箇所に破断領域２６が位置しているので、開封用ノッチ２４から封筒貼り包装袋１０Ａを開封し、切り裂かれた包装フィルム１２Ａの箇所が縦接合部１４に至ると、破断領域２６を介して縦接合部１４においても容易に切り裂かれる。破断領域２６が設けられた内側幅方向フィルム端部１２０２Ａは、破断領域２６が設けられていない外側幅方向フィルム端部１２０２Ｂで覆われているので、本体部１８に破断領域２６を設けたにも拘らず封筒貼り包装袋１０Ａの耐久性を確保する上で有利となる。【選択図】図３
2020200071.tif 000002
【特許請求の範囲】
【請求項１】
幅Ｗ１と長さＬ１を有する包装フィルムの幅Ｗ１方向の両端の幅方向フィルム端部が長さＬ１方向に重ね合わされて接合された縦接合部と、長さＬ１方向に沿った所定長部分の両端の長さ方向フィルム端部が重ね合わされて接合された一対の横接合部と、前記一対の横接合部の間に位置する前記包装フィルムの箇所である本体部フィルムで中空状に形成され商品が収容される本体部とを備え、
前記縦接合部は、前記本体部フィルムと連続状に延在し前記本体部フィルムの一部を構成しており、
前記包装フィルムの幅Ｗ１と長さＬ１に対応する幅Ｗ２と長さＬ２を有する封筒貼り包装袋であって、
前記一対の横接合部のうちの一方の横接合部に隣接する前記本体部の幅Ｗ２方向の端部に、向かい合う前記本体部フィルムどうしを接合した補助接合部が設けられ、
前記補助接合部に開封用ノッチが設けられ、
前記開封用ノッチを通り幅Ｗ２方向に延在する仮想線を含む前記縦接合部の箇所で、前記重ね合わされた幅方向フィルム端部のうち前記本体部の内側に位置する内側幅方向フィルム端部で前記開封用ノッチ側に位置する箇所に、前記縦接合部を容易に破断可能とする破断領域が設けられている、
ことを特徴とする封筒貼り包装袋。
【請求項２】
前記破断領域は、幅Ｗ２方向に沿った前記内側幅方向フィルム端部の幅方向の全長にわたって設けられている、
ことを特徴とする請求項１記載の封筒貼り包装袋。
【請求項３】
前記破断領域は、前記封筒貼り包装袋の長さＬ２方向に沿った前記内側幅方向フィルム端部の長さ方向の全長にわたって設けられている、
ことを特徴とする請求項１または２記載の封筒貼り包装袋。
【請求項４】
前記破断領域は、長さＬ２方向に沿った長さＬ３を有し、
前記仮想線は長さＬ３方向の中央に位置している、
ことを特徴とする請求項１または２記載の封筒貼り包装袋。
【請求項５】
前記破断領域は、前記内側幅方向フィルム端部の前記仮想線を含む箇所から前記一方の横接合部まで長さＬ２方向に沿って連続して設けられている、
ことを特徴とする請求項１または２記載の封筒貼り包装袋。
【請求項６】
前記仮想線を含む前記縦接合部の箇所で、前記本体部フィルムに接続する前記内側幅方向フィルム端部の箇所に、前記破断領域が形成されていない非破断領域が設けられ、
前記破断領域は、前記非破断領域を除いた前記内側幅方向フィルム端部の残りの箇所に設けられている、
ことを特徴とする請求項１、または請求項１を引用する請求項３、または請求項１を引用する請求項４、または請求項１を引用する請求項５記載の封筒貼り包装袋。
【請求項７】
幅Ｗ２方向に沿った前記破断領域の幅は０.５ｍｍ以上２ｍｍ以下である、
ことを特徴とする請求項６記載の封筒貼り包装袋。
【請求項８】
前記補助接合部は、前記一対の横接合部のうちの一方の横接合部と切り離されている、
ことを特徴とする請求項１〜７の何れか１項記載の封筒貼り包装袋。
【発明の詳細な説明】
【技術分野】
【０００１】
本発明は封筒貼り包装袋に関する。
【背景技術】
【０００２】
包装フィルムから構成される包装袋は、一般に、包装フィルムの幅方向の両端の端部が包装フィルムの長さ方向の全長にわたって重ね合わされて接合された縦接合部と、包装フィルムの所定長部分の長さ方向の両端の端部が重ね合わされて接合された一対の横接合部と、一対の横接合部の間に位置し商品を収容する本体部とを有している。
このような包装袋として、縦接合部が本体部から突出する合掌貼り包装袋と、縦接合部が本体部の一部を構成する封筒貼り包装袋とが提供されている。
従来、市場に流通している商品が封入される包装袋の大半に、合掌貼り包装袋が用いられている。
合掌貼り包装袋では、縦接合部が本体部と別の箇所に位置しているため、２枚の包装フィルムが重ねられた縦接合部の箇所でも容易に破断されるようにした縦接合部の構造が種々提案されている。
そして、合掌貼り包装袋では、一対の横接合部のうちの一方の横接合部の幅方向の端部に隣接する本体部の箇所に補助接合部を設け、この補助接合部に開封用ノッチを設け、この開封用ノッチから本体部を破断し、商品を包装袋から簡単に取り出せるようにしている（特許文献１、２）。
【先行技術文献】
【特許文献】
【０００３】
【特許文献１】特開２００４−２５６１５８号公報
【特許文献２】特開平８−３３７２５１号公報
【発明の概要】
【発明が解決しようとする課題】
【０００４】
一方、合掌貼り包装袋では、一対の横接合部において、縦接合部の延在方向の両端が倒されて横接合部に接合されるため、縦接合部が接合された横接合部の箇所では合計４枚の包装フィルム部分が重ね合わされて接合（ヒートシール）され、他の横接合部の箇所では２枚の包装フィルム部分が重ね合わされて接合（ヒートシール）される。
そのため、横接合部を形成する際に、横接合部の延在方向に均一の圧力を掛けることができず、完全な接合状態の横接合部を簡単に形成することができない問題があり、種々の工夫を施しているのが現状である。
また、合掌貼り包装袋では、縦接合部が本体部上に位置して目立つことから、縦接合部が設けられていない本体部の箇所が包装袋の正面を構成し、縦接合部が設けられた本体部の箇所が包装袋の背面を構成することになるが、包装袋の背面は、本体部の長手方向の全長にわたって延在する縦接合部により２分されることから、包装袋の背面に、商品の購買意欲を喚起する大きな商品広告面積を確保する上で不利がある。
さらに、合掌貼り包装袋は、本体部の長手方向の全長にわたって延在し本体部に対して目立つ縦接合部を有することから、包装袋に封入された商品の商品価値を高める上で不利がある。
そこで封筒貼り包装袋に、特許文献１、２のように、一対の横接合部のうちの一方の横接合部に隣接する本体部の箇所に補助接合部を設け、この補助接合部に開封用ノッチを設け、この開封用ノッチから本体部を破断し、商品を包装袋から簡単に取り出せるようにすることが考えられる。
【０００５】
このような封筒貼り包装袋によれば、一対の横接合部の長手方向の全長において、２枚の包装フィルム部分が重ね合わされて接合（ヒートシール）されるため、横接合部の延在方向に均一の圧力を掛けることができ、完全な接合状態の横接合部を簡単に確実に形成する上で有利となる。
また、封筒貼り包装袋では、縦接合部が本体部と連続状に延在し縦接合部が本体部の一部を構成するため、合掌貼り包装袋のように本体部上に位置する目立った縦接合部はなくなり、縦接合部が位置する本体部の箇所を包装袋の正面としても使用でき、したがって、包装袋の正面と背面の双方にそれぞれ単一の大きな商品広告面積を確保する上で有利となる。
さらに、封筒貼り包装袋では、合掌貼り包装袋のような目立った縦接合部がなくなるため、包装袋に封入された商品の商品価値を高める上で有利となる。
しかしながら封筒貼り包装袋では、縦接合部が本体部を構成しており、縦接合部の箇所で包装フィルムが２枚重ねられていることから、一対の横接合部のうちの一方の横接合部に隣接する本体部の箇所に開封用ノッチを有する補助接合部を設け、この開封用ノッチから本体部を引き裂いても、縦接合部の箇所では容易に破断されにくく包装袋を開封しにくくなる。
この場合、封筒貼り包装袋では、縦接合部が本体部を構成しているため、合掌貼り包装袋の縦接合部の構造を封筒貼り包装袋の縦接合部に適用したのでは、縦接合部の箇所で本体部が引き裂かれ易くなり、封筒貼り包装袋の耐久性に問題が生じる。
このような事情から本体部に開封用ノッチを設け、商品を包装袋から簡単に取り出せるようにした封筒貼り包装袋は市場に提供されていない。
本発明は前記事情に鑑み案出されたものであって、本発明は、本体部に設けた開封用ノッチから本体部を破断して商品を包装袋から簡単に取り出すことができ、包装袋の耐久性が確保され、完全な接合状態の横接合部を簡単に確実に形成し、包装袋の正面と背面の双方に大きな商品広告面積を確保し、包装袋に封入された商品の商品価値を高める上で有利な封筒貼り包装袋を提供することを目的とする。
【課題を解決するための手段】
【０００６】
上述した目的を達成するため本発明は、幅Ｗ１と長さＬ１を有する包装フィルムの幅Ｗ１方向の両端の幅方向フィルム端部が長さＬ１方向に重ね合わされて接合された縦接合部と、長さＬ１方向に沿った所定長部分の両端の長さ方向フィルム端部が重ね合わされて接合された一対の横接合部と、前記一対の横接合部の間に位置する前記包装フィルムの箇所である本体部フィルムで中空状に形成され商品が収容される本体部とを備え、前記縦接合部は、前記本体部フィルムと連続状に延在し前記本体部フィルムの一部を構成しており、前記包装フィルムの幅Ｗ１と長さＬ１に対応する幅Ｗ２と長さＬ２を有する封筒貼り包装袋であって、前記一対の横接合部のうちの一方の横接合部に隣接する前記本体部の幅Ｗ２方向の端部に、向かい合う前記本体部フィルムどうしを接合した補助接合部が設けられ、前記補助接合部に開封用ノッチが設けられ、前記開封用ノッチを通り幅Ｗ２方向に延在する仮想線を含む前記縦接合部の箇所で、前記重ね合わされた幅方向フィルム端部のうち前記本体部の内側に位置する内側幅方向フィルム端部で前記開封用ノッチ側に位置する箇所に、前記縦接合部を容易に破断可能とする破断領域が設けられていることを特徴とする。
【発明の効果】
【０００７】
本発明によれば、開封用ノッチから本体部を破断し、切り裂かれた包装フィルムの箇所が縦接合部に至ると、破断領域を介して縦接合部においても容易に本体部が切り裂かれ、開封用ノッチから封筒貼り包装袋を簡単に開封することができる。
また、破断領域は、縦接合部において重ね合わされた幅方向フィルム端部のうち本体部の外側に位置する外側幅方向フィルム端部により覆われているので、本体部に破断領域を設けたにも拘らず、封筒貼り包装袋の耐久性を確保する上で有利となる。
したがって、本発明によれば、本体部に設けた開封用ノッチから本体部を破断して商品を包装袋から簡単に取り出すことができ、完全な接合状態の横接合部を簡単に確実に形成し、包装袋の正面と背面の双方に大きな商品広告面積を確保し、包装袋に封入された商品の商品価値を高める上で有利な封筒貼り包装袋を提供することが可能となる。
【図面の簡単な説明】
【０００８】
【図１】第１の実施の形態の包装フィルムの説明図である。
【図２】（Ａ）は第１の実施の形態の封筒貼り包装袋の正面図、（Ｂ）は封筒貼り包装袋の長さ方向の中央部を封筒貼り包装袋の幅方向で切断した断面図である。
【図３】（Ａ）は第１の実施の形態の封筒貼り包装袋の背面図、（Ｂ）は開封用ノッチを通り封筒貼り包装袋の幅方向に延在する仮想線で封筒貼り包装袋を切断した断面図である。
【図４】（Ａ）は第２の実施の形態の包装フィルムの説明図、（Ｂ）は開封用ノッチを通り封筒貼り包装袋の幅方向に延在する仮想線で封筒貼り包装袋を切断した断面図である。
【図５】（Ａ）は第３の実施の形態の包装フィルムの説明図、（Ｂ）は開封用ノッチを通り封筒貼り包装袋の幅方向に延在する仮想線で封筒貼り包装袋を切断した断面図である。
【図６】第３の実施の形態の封筒貼り包装袋の説明図で、封筒貼り包装袋の内部から破断領域を見た図である。
【図７】第３の実施の形態の封筒貼り包装袋の説明図で、封筒貼り包装袋の内部から破断領域を見た図である。
【図８】第４の実施の形態の封筒貼り包装袋の説明図で、封筒貼り包装袋の内部から破断領域を見た図である。
【図９】第５の実施の形態の封筒貼り包装袋の正面図である。
【発明を実施するための形態】
【０００９】
以下、本発明の実施の形態について図面を参照して説明する。
（第１の実施の形態）
まず、図１〜図３を参照して第１の実施の形態から説明する。
図２、図３に示す第１の実施の形態の封筒貼り包装袋１０Ａは、図１に示す幅Ｗ１と長さＬ１を有する包装フィルム１２Ａから形成されている。
なお、図１において符号１２１０は、切断箇所を表示するレジマーク、点線１２１２は商品が封入された封筒貼り包装袋１０Ａを切断する切断予定箇所、丸で囲まれたＡ文字は、包装フィルム１２Ａに予め印刷された商品名や図柄などを示している。
包装フィルム１２Ａは、単体フィルムであってもよく、複合フィルムであってもよく、あるいは透明性を有するフィルムや有さないフィルムであってもよく、従来公知の様々な材料が使用可能である。
図２（Ａ）、図３（Ａ）に示すように、封筒貼り包装袋１０Ａは、縦接合部１４と、一対の横接合部１６と、本体部１８と、補助接合部２２と、開封用ノッチ２４と、破断領域２６とを含んで構成されている。
封筒貼り包装袋１０Ａは、包装フィルム１２の幅Ｗ１と長さＬ１に対応した幅Ｗ２と長さＬ２を有し、矩形状を呈している。
【００１０】
図２（Ｂ）、図３（Ｂ）に示すように、縦接合部１４は、包装フィルム１２Ａが幅Ｗ１方向に丸められ、包装フィルム１２Ａの幅Ｗ１方向の両端の幅方向フィルム端部１２０２が封筒貼り包装袋１０Ａの長さＬ２方向の全長にわたって重ね合わされて接合された箇所であり、封筒貼り包装袋１０Ａの長さＬ２方向に延在している。
重ね合わされて接合され縦接合部１４を構成する２枚の幅方向フィルム端部１２０２は、本体部１８の内側に位置する内側幅方向フィルム端部１２０２Ａと、その外側に位置する外側幅方向フィルム端部１２０２Ｂである。
図３（Ａ）、（Ｂ）に示すように、縦接合部１４は、封筒貼り包装袋１０Ａの幅Ｗ２方向に沿った幅Ｗ３を有している。
【００１１】
一対の横接合部１６は、包装フィルム１２Ａの長さＬ１方向に沿った所定長部分の両端の長さ方向フィルム端部１２０２Ｃが重ね合わされて接合された箇所である。
言い換えると、一対の横接合部１６は、封筒貼り包装袋１０Ａの幅Ｗ２方向の全長にわたり２枚の包装フィルム１２Ａである２枚の長さ方向フィルム端部１２０２Ｃが重ね合わされて接合された箇所である。
したがって、封筒貼り包装袋１０Ａを製作するにあたり、横接合部１６の延在方向の全長にわたり均一の圧力を掛けることができ、完全な接合（シール）状態の横接合部を簡単に確実に形成する上で有利となっている。
【００１２】
本体部１８は商品を収容する箇所であり、一対の横接合部１６の間に位置する包装フィルム１２Ａの箇所である本体部フィルム１８０２で中空状に形成されている。
図２（Ｂ）、図３（Ｂ）に示すように、包装袋が封筒貼り包装袋１０Ａであることから、縦接合部１４は本体部フィルム１８０２と連続状に延在し本体部フィルム１８０２の一部を構成している。
詳細には、縦接合部１４の箇所では本体部フィルム１８０２は、内側幅方向フィルム端部１２０２Ａと外側幅方向フィルム端部１２０２Ｂとの２枚の包装フィルム１２Ａが重ね合わされて構成され、縦接合部１４以外の箇所では本体部フィルム１８０２は、一枚の包装フィルム１２Ａで構成されている。
したがって、封筒貼り包装袋１０Ａでは、縦接合部１４が本体部１８と連続状に延在し縦接合部１４が本体部１８の一部を構成するため、合掌貼り包装袋のように本体部上に位置する目立った縦接合部はなくなり、縦接合部１４が位置する本体部１８の箇所を包装袋の正面としても使用でき、したがって、包装袋の正面と背面の双方にそれぞれ単一の大きな商品広告面積を確保する上で有利となっており、さらに、合掌貼り包装袋のような目立った縦接合部はなくなり、包装袋に封入された商品の商品価値を高める上で有利となっている。
【００１３】
補助接合部２２は、縦接合部１４を構成する重ね合わされた幅方向フィルム端部１２０２Ａ、１２０２Ｂのうち本体部１８の内側に位置する内側幅方向フィルム端部１２０２Ａの延長上に位置する封筒貼り包装袋１０Ａの幅Ｗ２方向の端部で、一対の横接合部１６のうちの一方の横接合部１６の幅Ｗ２方向の端部から一対の横接合部１６のうちの他方の横接合部１６に向けて変位した箇所に、向かい合う本体部フィルム１８０２どうしが接合されて構成されている。
本実施の形態では、補助接合部２２は一方の横接合部１６に接続されており、補助接合部２２と一方の横接合部１６とは連続している。
開封用ノッチ２４は、封筒貼り包装袋１０Ａの幅Ｗ２方向の端部に位置する補助接合部２２の箇所に設けられ、例えば、Ｉ字状，Ｖ字状などの従来公知の様々な形状で形成されている。
【００１４】
破断領域２６は、内側幅方向フィルム端部１２０２Ａと外側幅方向フィルム端部１２０２Ａとの２枚の包装フィルム１２Ａが接合された縦接合部１４が、封筒貼り包装袋１０Ａの開封時に、開封用ノッチ２４を通り封筒貼り包装袋１０Ａの幅Ｗ２方向に延在する仮想線Ｓに沿って容易に破断できるようにする箇所である。
破断領域２６は、仮想線Ｓを含む縦接合部１４の箇所で、重ね合わされた幅方向フィルム端部１２０２のうち本体部１８の内側に位置する内側幅方向フィルム端部１２０２Ａで開封用ノッチ２４側に位置する箇所に設けられている。
第１の実施の形態では、図１に斜線で示すように、内側幅方向フィルム端部１２０２Ａの長さ方向および幅方向の全域に微細な切込みが形成されており、破断領域２６は、内側幅方向フィルム端部１２０２Ａの全域に設けられている。したがって、第１の実施の形態では、破断領域２６は、仮想線Ｓ上に位置する微細な切込みを含んで構成されることになる。
図３（Ａ）、（Ｂ）に示すように、破断領域２６は、封筒貼り包装袋１０Ａの幅Ｗ２方向に沿った幅Ｗ４を有している。第１の実施の形態では、破断領域２６の幅Ｗ４と縦接合部１４の幅Ｗ３は等しく形成されている。
【００１５】
このような第１の実施の形態の封筒貼り包装袋１０Ａによれば次の効果が奏される。
開封用ノッチ２４を通り封筒貼り包装袋１０Ａの幅Ｗ２方向に延在する仮想線Ｓ上の縦接合部１４の箇所に破断領域２６が位置しているので、包装フィルム１２Ａとして単体フィルムや複合フィルムの何れを用いた場合でも、開封用ノッチ２４から封筒貼り包装袋１０Ａを開封し、切り裂かれた包装フィルム１２Ａの箇所が縦接合部１４に至ると、破断領域２６を介して縦接合部１４においても容易に切り裂かれ、開封用ノッチ２４から封筒貼り包装袋１０Ａを容易に開封することができる。
また、破断領域２６は封筒貼り包装袋１０Ａの幅Ｗ２方向に沿った内側幅方向フィルム端部１２０２Ａの幅方向の全長にわたって設けられているので、開封用ノッチ２４から本体部１８を切り裂いた際、縦接合部１４においても容易に切り裂かれ、封筒貼り包装袋１０Ａを容易に開封する上で有利となる。
また、開封用ノッチ２４から本体部１８を切り裂いた際、切り裂いた箇所が仮想線Ｓから封筒貼り包装袋１０Ａの長さＬ２方向に大きくずれた場合であっても、破断領域２６は、封筒貼り包装袋１０Ａの長さＬ２方向に沿った内側幅方向フィルム端部１２０２Ａの長さ方向の全長にわたって設けられているので、破断領域２６を介して縦接合部１４においても容易に切り裂かれる。
したがって、引き裂かれる方向について指向性を有していない包装フィルム１２Ａを用いて封筒貼り包装袋１０Ａを形成した場合であっても、封筒貼り包装袋１０Ａを容易に開封する上で有利となる。
【００１６】
また、縦接合部１４において、破断領域２６が設けられた内側幅方向フィルム端部１２０２Ａは本体部１８の内部側に位置し、この内側幅方向フィルム端部１２０２Ａは、微細な切込みや切れ目などからなる破断領域２６が形成されていない外側幅方向フィルム端部１２０２Ｂで覆われている。
そのため、出荷時や運搬時、店頭での商品陳列時に、封筒貼り包装袋１０Ａどうしが擦れる、あるいは、何かが封筒貼り包装袋１０Ａに当たっても、封筒貼り包装袋１０Ａの破断領域２６からの切り裂かれを抑制する上で有利となる。すなわち、本体部１８に破断領域２６を設けたにも拘らず封筒貼り包装袋１０Ａの耐久性を確保する上で有利となる。
したがって、本体部１８に設けた開封用ノッチ２４から本体部１８を破断して商品を包装袋から簡単に取り出すことができ、完全な接合状態の横接合部１６を簡単に確実に形成し、包装袋の正面と背面の双方に大きな商品広告面積を確保し、包装袋に封入された商品の商品価値を高める上で有利な封筒貼り包装袋１０Ａを提供することが可能となる。
【００１７】
（第２の実施の形態）
次に、図４を参照して第２の実施の形態について説明する。
なお、以下の実施の形態の説明では、第１の実施の形態と異なった箇所を重点的に説明し、第１の実施の形態と同様な箇所に同一の符号を付してその説明を省略する。
図４（Ｂ）に示すように、第２の実施の形態の封筒貼り包装袋１０Ｂでは、仮想線Ｓ（図３参照）上で本体部フィルム１８０２に接続する内側幅方向フィルム端部１２０２Ａの箇所に、微細な切込みからなる破断領域２６が形成されていない非破断領域２８を残したものである。
すなわち、第２の実施の形態では、仮想線Ｓ上に位置する内側幅方向フィルム端部１２０２Ａの箇所は、開封用ノッチ２４側に位置する破断領域２６と、本体部フィルム１８０２側に位置する非破断領域２８とで構成されている。
そして、非破断領域２８は破断領域２６と共に外側幅方向フィルム端部１２０２Ｂに接合されている。
したがって、図４（Ａ）に示すように、第２の実施の形態で用いる包装フィルム１２Ｂでは、幅Ｗ３を有する内側幅方向フィルム端部１２０２Ａに相当する箇所には、幅Ｗ４の破断領域２６と、非破断領域２８とが包装フィルム１０Ｂの長さＬ１方向に沿って延在している。
【００１８】
第１の実施の形態のように、内側幅方向フィルム端部１２０２Ａの幅Ｗ３方向の全長にわたって破断領域２６を設け、この破断領域２６を外側幅方向フィルム端部１２０２Ｂに接合してもよいが、第２の実施の形態のように、破断領域２６に並べて非破断領域２８を設けると、仮想線Ｓ上に位置する縦接合部１４の箇所において、包装フィルム１２Ｂの幅Ｗ１方向の一端と他端とが、破断領域２６が形成されていない包装フィルム１２Ｂの部分どうしが接合されて接続されることになり、縦接合部１４における封筒貼り包装袋１０Ｂの強度が確保され、封筒貼り包装袋１０Ｂの耐久性を確保する上でより有利となる。
この場合、封筒貼り包装袋１０Ｂの幅Ｗ２（図２参照）方向に沿った破断領域２６の幅Ｗ４は、開封性を確保する観点から、また、封筒貼り包装袋１０Ｂの耐久性を確保する観点から０.５ｍｍ以上２ｍｍ以下が好ましい。
【００１９】
（第３の実施の形態）
次に、図５、図６を参照して第３の実施の形態について説明する。
第３の実施の形態の封筒貼り包装袋１０Ｃでは、図６に示すように、仮想線Ｓ（図３参照）上で、言い換えると仮想線Ｓを含む箇所で開封用ノッチ２４側に位置する内側幅方向フィルム端部１２０２Ａの箇所に、仮想線Ｓに沿って延在し互いに平行する複数の切れ目３２が形成され、それら切れ目３２により破断領域２６が形成され、破断領域２６は、封筒貼り包装袋１０Ａの幅Ｗ２（図２参照）方向に沿った幅Ｗ４を有している。
本体部フィルム１８０２に接続する内側幅方向フィルム端部１２０２Ａの箇所に、破断領域２６が形成されていない非破断領域２８が残されている点については第２の実施の形態と同様である。
したがって、図５（Ａ）に示すように、第３の実施の形態では、幅Ｗ３を有する内側幅方向フィルム端部１２０２Ａに相当する包装フィルム１２Ｃの箇所には、複数の切れ目３２からなる幅Ｗ４の破断領域２６と、非破断領域２８とが包装フィルム１２Ｃの長さＬ１方向に間隔をおいて設けられている。
【００２０】
第３の実施の形態では、第１、第２の実施の形態と異なり、破断領域２６は、図６に示すように、封筒貼り包装袋１０Ｃの長さＬ２（図２参照）方向に沿った長さＬ３を有し、長さＬ３方向の中央に仮想線Ｓが位置している。
破断領域２６の長さＬ３は、例えば、縦接合部１４の幅Ｗ３とほぼ等しい寸法であり、あるいは、縦接合部１４の幅Ｗ３の複数倍の寸法であり、あるいは、封筒貼り包装袋１０Ｃの長さＬ２方向に沿った補助接合部２２の長さとほぼ等しい寸法である。
したがって、開封用ノッチ２４から本体部１８を切り裂いた際、切り裂かれ箇所が仮想線Ｓから封筒貼り包装袋１０Ｃの長さＬ２方向にずれた場合であっても、仮想線Ｓは破断領域２６の長さＬ３方向の中央に位置しているので切り裂かれ箇所のずれを吸収でき、破断領域２６を介して縦接合部１４においても容易に切り裂かれ、封筒貼り包装袋１０Ｃを容易に開封する上で有利となる。
また、第３の実施の形態では、破断領域２６は封筒貼り包装袋１０Ｃの長さＬ２方向に沿った長さＬ３を有し、内側幅方向フィルム端部１２０２Ａの長さ方向の一部にしか形成されていないため、縦接合部１４の箇所において、破断領域２６が形成されていない包装フィルム１２Ｃの部分どうしが接合される箇所の面積を第２の実施の形態に比べて増大でき、縦接合部１４における封筒貼り包装袋１０Ｃの強度が確保され、封筒貼り包装袋１０Ｃの耐久性を確保する上でより有利となる。
なお、図７に示すように、切れ目３２に代え複数のＶ字状のノッチ３４を形成することで破断領域２６を構成してもよく、その他、Ｉ字状のノッチや複数のスリット、孔、微細な切込みなど従来公知の様々な破断用形状を用いて破断領域２６を構成するなど任意である。このような破断領域２６の構成は、第１、第２の実施の形態を含み本実施の形態の全てに適用可能である。
【００２１】
次に、図８を参照して第４の実施の形態について説明する。
第４の実施の形態の封筒貼り包装袋１０Ｄでは、破断領域２６が、開封用ノッチ２４側に位置する内側幅方向フィルム端部１２０２Ａの箇所で仮想線Ｓを含む箇所から一方の横接合部１６まで封筒貼り包装袋１０Ｄの長さＬ２（図２参照）方向に沿って連続して設けられている。
包装フィルム１２Ｄが引き裂かれる方向について指向性を有していないフィルムの場合で、商品の購入者が封筒貼り包装袋１０Ｄから商品を取り出した後、残りの商品の保管用として封筒貼り包装袋１０Ｄを用いようとする場合、商品の購入者は開封用ノッチ２４から封筒貼り包装袋１０Ｄを引き裂く際に、大きな本体部１８が残るように一方の横接合部１６に沿って封筒貼り包装袋１０Ｄを引き裂くことが考えられる。
このような場合、開封用ノッチ２４側に位置する内側幅方向フィルム端部１２０２Ａの箇所で仮想線Ｓを含む箇所から一方の横接合部１６まで封筒貼り包装袋１０Ｄの長さＬ２方向に沿って連続して破断領域２６が設けられていると、一方の横接合部１６に沿って封筒貼り包装袋１０Ｄを切り裂くことができ、商品の購入者は、大きな本体部１８が残った封筒貼り包装袋１０Ｄを残りの商品の保管用として用いることができ、封筒貼り包装袋１０Ｄの実用的価値を高める上で有利となる。
【００２２】
（第４の実施の形態）
次に、図９を参照して第５の実施の形態について説明する。
第５の実施の形態の封筒貼り包装袋１０Ｅは、補助接合部２２が一方の横接合部１６とは連続形成されておらず、一方の横接合部１６と切り離されている点が第１の実施の形態と異なっている。
すなわち、第５の実施の形態の封筒貼り包装袋１０Ｅは、一方の横接合部１６の幅Ｗ２方向の端部から一対の横接合部１６のうちの他方の横接合部１６に向けて変位した箇所に、第１の実施の形態と同様に向かい合う本体部フィルム１８０２どうしが接合されて補助接合部２２が構成されているものの、第１の実施の形態と異なって、補助接合部２２は一方の横接合部１６から切り離されて形成されている。
そして、Ｉ字状やＶ字状を呈する開封用ノッチ２４が、封筒貼り包装袋１０Ｅの幅Ｗ２方向の端部に位置する補助接合部２２の箇所に設けられている。
このような第５の実施の形態によれば、補助接合部２２が一方の横接合部１６から切り離されているので、開封用ノッチ２４がより見付けやすくなり、封筒貼り包装袋１０Ｅの開封作業をより簡単に行なう上で有利となる。
【００２３】
なお、本発明の封筒貼り包装袋として５つの実施の形態の封筒貼り包装袋１０Ａ〜１０Ｅについて説明したが、封入する商品の大きさ、形状、重量、硬さや柔らかさ、販売形態などを考慮してどのような封筒貼り包装袋１０Ａ〜１０Ｅが用いられるかが適宜決定される。
また、第１〜第５の実施の形態では、縦接合部１４が封筒貼り包装袋１０Ａ〜１０Ｅの幅Ｗ２方向の中央に位置している場合について説明したが、縦接合部１４の位置は封筒貼り包装袋１０Ａ〜１０Ｅの幅Ｗ２方向の中央に限定されず任意である。
【符号の説明】
【００２４】
１０Ａ〜１０Ｄ  封筒貼り包装袋
１２Ａ〜１２Ｃ  包装フィルム
１２０２  幅方向フィルム端部
１２０２Ａ  内側幅方向フィルム端部
１２０２Ｂ  外側幅方向フィルム端部
１２０２Ｃ  長さ方向フィルム端部
１４  縦接合部
１６  横接合部
１８  本体部
１８０２  本体部フィルム
２２  補助接合部
２４  開封用ノッチ
２６  破断領域
２８  非破断領域
Ｓ  仮想線
【図１】
2020200071.tif 000003
【図２】
2020200071.tif 000004
【図３】
2020200071.tif 000005
【図４】
2020200071.tif 000006
【図５】
2020200071.tif 000007
【図６】
2020200071.tif 000008
【図７】
2020200071.tif 000009
【図８】
2020200071.tif 000010
【図９】
2020200071.tif 000011